(57)【要約】【課題】  制御装置に対して医療機器を接続しようとするユーザに、装置間の対応可否判定の結果を含むユーザ支援情報を提供する。【解決手段】  本開示の一側面である制御装置は、医療機器から延びるケーブルに設けられているコネクタ部が接続されるコネクタ接合部と、近接無線通信により前記コネクタ部と無線通信を行う通信部と、前記通信部が受信した前記医療機器からの情報に基づくユーザ支援情報をユーザに通知する通知部とを備える。本開示は、例えば、内視鏡手術システムに適用できる。【選択図】  図２
2016214490.tif 000002
【特許請求の範囲】
【請求項１】
医療機器から延びるケーブルに設けられているコネクタ部が接続されるコネクタ接合部と、
近接無線通信により前記コネクタ部と無線通信を行う通信部と、
前記通信部が受信した前記医療機器からの情報に基づくユーザ支援情報をユーザに通知する通知部と
を備える制御装置。
【請求項２】
前記通知部は、前記ユーザ支援情報として、前記制御装置と前記医療機器とが正式に対応するものであるか否かをユーザに通知する
請求項１に記載の制御装置。
【請求項３】
前記通信部が受信した前記医療機器の属性情報に基づき、前記制御装置と前記医療機器とが正式に対応するものであるか否かを判定する対応判定部をさらに備え、
前記通知部は、前記ユーザ支援情報として、前記対応判定部の判定結果をユーザに通知する
請求項２に記載の制御装置。
【請求項４】
前記対応判定部が前記医療機器の属性情報に基づいて前記制御装置と前記医療機器とが正式に対応するものであるか否かを判定する際の判断基準は、更新可能である
請求項３に記載の制御装置。
【請求項５】
前記制御装置と前記医療機器との電気的な接続が安定しているか否かを判定する接続判定部をさらに備え、
前記通知部は、さらに、前記コネクタ接合部に前記コネクタ部が接続された状態で、前記ユーザ支援情報として、前記接続判定部の判定結果をユーザに通知する
請求項２に記載の制御装置。
【請求項６】
前記通知部は、前記コネクタ接合部に前記コネクタ部が接続されていない状態で、前記ユーザ支援情報として、前記コネクタ部の向きが前記コネクタ接合部に合っているか否かをユーザに通知する
請求項１に記載の制御装置。
【請求項７】
前記通知部は、前記通信部が受信した前記医療機器からの情報に基づき、前記ユーザ支援情報として、前記医療機器が滅菌処理済であるか否かを通知する
請求項１に記載の制御装置。
【請求項８】
前記通知部は、前記通信部が受信した前記医療機器からの情報に基づき、前記ユーザ支援情報として、前記医療機器の使用回数または使用時間に関する情報を通知する
請求項１に記載の制御装置。
【請求項９】
ケーブルを介して制御装置に接続するためのコネクタ部と、
近接無線通信により前記制御装置と無線通信を行う通信部と、
前記通信部が受信した前記制御装置からの情報に基づくユーザ支援情報をユーザに通知する通知部と
を備える医療機器。
【請求項１０】
前記通知部は、前記ユーザ支援情報として、前記制御装置と前記医療機器とが正式に対応するものであるか否かをユーザに通知する
請求項９に記載の医療機器。
【請求項１１】
前記通信部は、前記医療機器の属性情報を前記制御装置に送信し、前記制御装置から送信された、前記制御装置と前記医療機器とが正式に対応するものであるか否か表す対応情報を受信し、
前記通知部は、受信された前記対応情報に基づき、前記ユーザ支援情報として、前記制御装置と前記医療機器とが正式に対応するものであるか否かをユーザに通知する
請求項１０に記載の医療機器。
【請求項１２】
前記通信部が受信した前記制御装置の属性情報に基づき、前記制御装置と前記医療機器とが正式に対応するものであるか否かを判定する対応判定部をさらに備え、
前記通知部は、前記ユーザ支援情報として、前記対応判定部の判定結果をユーザに通知する
請求項１０に記載の医療機器。
【請求項１３】
前記対応判定部が前記制御装置の属性情報に基づいて前記制御装置と前記医療機器とが正式に対応するものであるか否かを判定する際の判断基準は、更新可能である
請求項１２に記載の医療機器。
【請求項１４】
前記通知部は、さらに、前記制御装置に前記コネクタ部が接続された状態で、前記ユーザ支援情報として、前記制御装置と前記医療機器との電気的な接続が安定しているか否かをユーザに通知する
請求項１０に記載の医療機器。
【請求項１５】
前記通知部は、前記制御装置に前記コネクタ部が接続されていない状態で、前記ユーザ支援情報として、前記コネクタ部の向きが前記制御装置のコネクタ接合部に合っているか否かをユーザに通知する
請求項９に記載の医療機器。
【請求項１６】
前記通知部は、前記ユーザ支援情報として、前記医療機器が滅菌処理済であるか否かをユーザに通知する
請求項９に記載の医療機器。
【請求項１７】
前記通知部は、前記ユーザ支援情報として、前記医療機器の使用回数または使用時間に関する情報をユーザに通知する
請求項９に記載の医療機器。
【請求項１８】
制御装置と、前記制御装置に対してケーブルを介して接続される医療機器とを有する医療機器システムにおいて、
前記制御装置は、
前記医療機器のコネクタ部と接続されるコネクタ接合部と、
近接無線通信により前記医療機器のコネクタ部と無線通信を行う第１の通信部と、
前記通信部が受信した前記医療機器からの情報に基づくユーザ支援情報をユーザに通知する第１の通知部とを備え、
前記医療機器の前記コネクタ部は、
近接無線通信により前記制御装置の前記第１の通信部と無線通信を行う第２の通信部と、
前記第２の通信部が受信した前記制御装置からの情報に基づくユーザ支援情報をユーザに通知する第２の通知部とを備える
医療機器システム。
【発明の詳細な説明】
【技術分野】
【０００１】
本開示は、制御装置、医療機器、および医療機器システムに関し、特に、制御装置と、制御装置にケーブルを介して接続され得る医療機器との対応の可否判定するようにした制御装置、医療機器、および医療機器システムに関する。
【背景技術】
【０００２】
近年、医療現場においては、従来から採用されている開腹手術に代わって、内視鏡を利用した内視鏡下手術が行われている。内視鏡下手術が行われる手術室には内視鏡手術システムが配置されている。
【０００３】
内視鏡手術システムには、内視鏡とそれを制御するCCU（カメラコントロールユニット）、エネルギ処置具とそれに高周波電流を供給する処置具用装置等から成る。
【０００４】
上述した内視鏡手術システムでは、CCUの入力インタフェース（コネクタ挿入口）に対して、内視鏡から延びるケーブルの端に設けられたコネクタが挿入されることによって両者が接続される。すなわち、コネクタ挿入口とコネクタの形状がおおよそ合っていれば、CCUに対して様々な種類の内視鏡が物理的に接続され得ることになる。
【０００５】
だだし、CCUに対してある内視鏡が物理的に接続できたとしても、CCUとその内視鏡とが互いに対応可能なものではない場合、撮像された画像が表示されなかったり、表示されても画像が乱れていたり、意図していない画像が表示されたりする不具合が発生し得る。さらに、CCUまたは内視鏡の少なくとも一方が電気的なダメージを受けてしまったり、CCUのコネクタ挿入口または内視鏡のコネクタの少なくとも一方が物理的に破損してしまったりすることも起こり得る。
【０００６】
そこで従来、上述した不具合に対処する方法として、CCUのコネクタ挿入口付近と、内視鏡のコネクタに、それぞれが対応可能な規格やそのバージョンナンバを色で表す指標を設ける方法が提案されている（例えば、特許文献１参照）。
【０００７】
特許文献１に記載の方法によれば、ユーザは、CCUに設けられている指標の色と、内視鏡のコネクタに設けられている指標の色を比較することにより、両者が互いに対応可能なものであるか否かを判断することができる。
【先行技術文献】
【特許文献】
【０００８】
【特許文献１】特開平５−３１７２４９号公報
【発明の概要】
【発明が解決しようとする課題】
【０００９】
ただし、特許文献１の方法では、ユーザに対して判断基準を提供しているに過ぎず、最終的にはユーザの判断が必要となる。したがって、CCUと、それに接続される内視鏡とが互いに対応可能なものであるか否かを判断できる仕組みの出現が望ましい。
【００１０】
なお、このような接続の可否を判断しなければならない問題は、CCUと内視鏡の組み合わせだけでなく、処理具用装置７とエネルギ処置具３の組み合わせ等のケーブルを介して接続される他の装置の組み合わせにも存在するので、それらについても同様の方法によって解決できるようになることが期待されている。
【００１１】
以下、上述した問題を有する、ケーブルを介して接続される２つの装置のうち、コネクタ挿入口が設けられる側の装置（CCU等）を制御装置と称し、ケーブルを介して制御装置に接続される側の装置（内視鏡等）を医療機器と称する。
【００１２】
本開示はこのような状況に鑑みてなされたものであり、制御装置に対して医療機器を接続しようとするユーザに、装置間の対応可否判定の結果を含むユーザ支援情報を提供できるようにするものである。
【課題を解決するための手段】
【００１３】
本開示の第１の側面である制御装置は、医療機器から延びるケーブルに設けられているコネクタ部が接続されるコネクタ接合部と、近接無線通信により前記コネクタ部と無線通信を行う通信部と、前記通信部が受信した前記医療機器からの情報に基づくユーザ支援情報をユーザに通知する通知部とを備える。
【００１４】
前記通知部は、前記ユーザ支援情報として、前記制御装置と前記医療機器とが正式に対応するものであるか否かをユーザに通知することができる。
【００１５】
本開示の第１の側面である制御装置は、前記通信部が受信した前記医療機器の属性情報に基づき、前記制御装置と前記医療機器とが正式に対応するものであるか否かを判定する対応判定部をさらに備えることができ、前記通知部は、前記ユーザ支援情報として、前記対応判定部の判定結果をユーザに通知することができる。
【００１６】
前記対応判定部が前記医療機器の属性情報に基づいて前記制御装置と前記医療機器とが正式に対応するものであるか否かを判定する際の判断基準は、更新可能とすることができる。
【００１７】
本開示の第１の側面である制御装置は、前記制御装置と前記医療機器との電気的な接続が安定しているか否かを判定する接続判定部をさらに備えることができ、前記通知部は、さらに、前記コネクタ接合部に前記コネクタ部が接続された状態で、前記ユーザ支援情報として、前記接続判定部の判定結果をユーザに通知することができる。
【００１８】
前記通知部は、前記コネクタ接合部に前記コネクタ部が接続されていない状態で、前記ユーザ支援情報として、前記コネクタ部の向きが前記コネクタ接合部に合っているか否かをユーザに通知することができる。
【００１９】
前記通知部は、前記通信部が受信した前記医療機器からの情報に基づき、前記ユーザ支援情報として、前記医療機器が滅菌処理済であるか否かを通知することができる。
【００２０】
前記通知部は、前記通信部が受信した前記医療機器からの情報に基づき、前記ユーザ支援情報として、前記医療機器の使用回数または使用時間に関する情報を通知することができる。
【００２１】
本開示の第１の側面においては、近接無線通信により医療機器のコネクタ部と無線通信が行われ、受信した医療機器からの情報に基づくユーザ支援情報がユーザに通知される。
【００２２】
本開示の第２の側面である医療機器は、ケーブルを介して制御装置に接続するためのコネクタ部と、近接無線通信により前記制御装置と無線通信を行う通信部と、前記通信部が受信した前記制御装置からの情報に基づくユーザ支援情報をユーザに通知する通知部とを備える。
【００２３】
前記通知部は、前記ユーザ支援情報として、前記制御装置と前記医療機器とが正式に対応するものであるか否かをユーザに通知することができる。
【００２４】
前記通信部は、前記医療機器の属性情報を前記制御装置に送信し、前記制御装置から送信された、前記制御装置と前記医療機器とが正式に対応するものであるか否か表す対応情報を受信することができ、前記通知部は、受信された前記対応情報に基づき、前記ユーザ支援情報として、前記制御装置と前記医療機器とが正式に対応するものであるか否かをユーザに通知することができる。
【００２５】
本開示の第２の側面である医療機器は、前記通信部が受信した前記制御装置の属性情報に基づき、前記制御装置と前記医療機器とが正式に対応するものであるか否かを判定する対応判定部をさらに備えることができ、前記通知部は、前記ユーザ支援情報として、前記対応判定部の判定結果をユーザに通知することができる。
【００２６】
前記対応判定部が前記制御装置の属性情報に基づいて前記制御装置と前記医療機器とが正式に対応するものであるか否かを判定する際の判断基準は、更新可能とすることができる。
【００２７】
前記通知部は、さらに、前記制御装置に前記コネクタ部が接続された状態で、前記ユーザ支援情報として、前記制御装置と前記医療機器との電気的な接続が安定しているか否かをユーザに通知することができる。
【００２８】
前記通知部は、前記制御装置に前記コネクタ部が接続されていない状態で、前記ユーザ支援情報として、前記コネクタ部の向きが前記制御装置のコネクタ接合部に合っているか否かをユーザに通知することができる。
【００２９】
前記通知部は、前記ユーザ支援情報として、前記医療機器が滅菌処理済であるか否かをユーザに通知することができる。
【００３０】
前記通知部は、前記ユーザ支援情報として、前記医療機器の使用回数または使用時間に関する情報をユーザに通知することができる。
【００３１】
本開示の第２の側面においては、近接無線通信により制御装置と無線通信が行われ、制御装置からの情報に基づくユーザ支援情報がユーザに通知される。
【００３２】
本開示の第３の側面である医療機器システムは、制御装置と、前記制御装置に対してケーブルを介して接続される医療機器とを有する医療機器システムにおいて、前記制御装置が、前記医療機器のコネクタ部と接続されるコネクタ接合部と、近接無線通信により前記医療機器のコネクタ部と無線通信を行う第１の通信部と、前記通信部が受信した前記医療機器からの情報に基づくユーザ支援情報をユーザに通知する第１の通知部とを備え、前記医療機器の前記コネクタ部が、近接無線通信により前記制御装置の前記第１の通信部と無線通信を行う第２の通信部と、前記第２の通信部が受信した前記制御装置からの情報に基づくユーザ支援情報をユーザに通知する第２の通知部とを備える。
【００３３】
本開示の第３の側面においては、制御装置と医療機器のコネクタ部との間で近接無線通信により無線通信が行われ、医療機器からの情報に基づくユーザ支援情報がユーザに通知される。
【発明の効果】
【００３４】
本開示の第１乃至第３の側面によれば、制御装置に対して医療機器を接続しようとするユーザに、装置間の対応可否判定の結果を含むユーザ支援情報を提供することができる。
【図面の簡単な説明】
【００３５】
【図１】内視鏡手術システムの構成例を示すブロック図である。
【図２】本開示を適用した医療機器システムの構成例を示すブロック図である。
【図３】制御装置に設けられたコネクタ接合部の構成例を示すブロック図である。
【図４】医療機器のコネクタ部の構成例を示すブロック図である。
【図５】対応の可否をユーザに通知する一例を表す図である。
【図６】対応の可否をユーザに通知する一例を表す図である。
【図７】接続判定処理を説明するフローチャートである。
【図８】本開示を適用した医療機器システムの他の構成例を示すブロック図である。
【発明を実施するための形態】
【００３６】
以下、本開示を実施するための最良の形態（以下、実施の形態と称する）について、図面を参照しながら詳細に説明する。
【００３７】
＜本開示を適用した医療機器システムを含む内視鏡手術システムの構成例＞
始めに本開示を適用した医療機器システムを含む内視鏡手術システムの構成例について説明する。
【００３８】
図１は、内視鏡下手術が行われる手術室に配置される内視鏡手術システムの構成例を示している。
【００３９】
内視鏡手術システム１は、患者の体内に挿入される内視鏡（腹腔鏡とも称される）２、およびエネルギ処置具３と、それらがケーブルによって接続されるカメラコントロール(CCU)５、光源装置６、および処理具用装置７等を有する。CCU５および処置具用装置７には、さらにフットスイッチ１５が接続されている。また、内視鏡手術システム１は、気腹装置８、表示装置９、レコーダ１０、およびプリンタ１１を有する。CCU5乃至プリンタ１１は、可動式のカート１４に載置されている。
【００４０】
内視鏡２は、観察光学系を通じて撮像した患部１６の動画像信号を、ビデオケーブルを介してCCU５に出力する。また、内視鏡２はライトガイドケーブルを介して光源装置６に接続されている。これにより、内視鏡２は、患部１６に対してさまざまな波長の光を切り替えて照射することができる。
【００４１】
エネルギ処置具３は、電気ケーブルを介して処置具用装置７に接続し、処置具用装置７から供給される高周波電流により、例えば患部１６を電気熱によって切断する際に用いられる。
【００４２】
CCU５は、内視鏡２からの動画像信号に所定の信号処理を行い、その結果を表示装置９に出力して、患部１６の内視鏡画像（動画像）を表示させる。
【００４３】
光源装置６は、ライトガイドケーブルを介して内視鏡２に光を供給する。なお、光源装置６がケーブルを介して電源用の電力を供給し、内視鏡２側に光源が設けられている場合もある。処置具用装置７は、電気ケーブルを介してエネルギ処置具３に高周波電流を供給する。気腹装置８は、送気、吸気機能を備え、患者体内の例えば腹部領域に空気を送気することができる。
【００４４】
表示装置９は、内視鏡２によって撮像された患部１６の動画像を表示する。レコーダ１０は、内視鏡２によって撮像された患部１６の動画像等を記録する。プリンタ１１は、内視鏡２によって撮像された患部１６の画像等を印刷する。
【００４５】
フットスイッチ１５は、術者や助手等のフット操作に応じたトリガ信号をCCU５や処置具用装置７等に出力する。これにより、術者や助手等は、足先でCCU５や処置具用装置７等を制御することができる。
【００４６】
内視鏡手術システム１を用いる内視鏡下手術では、腹壁を切開して開腹する代わりに、トロッカ１２ａ，１２ｂと称される開孔器具が腹壁に数か所取り付けられ、トロッカ１２ａ，１２ｂから、内視鏡２、エネルギ処置具３、鉗子４等が体内に挿入される。そして、内視鏡２によって撮像された患部（腫瘍等）１６の動画像をリアルタイムに見ながら、エネルギ処置具３等によって患部１６を切除する等の処置が行われる。なお、内視鏡２、エネルギ処置具３、鉗子４等は、術者、助手、スコピスト、またはロボット等により保持される。
【００４７】
なお、図１に示された内視鏡手術システム１のうち、内視鏡２とCCU５の組み合わせ、内視鏡２と光源装置６の組み合わせ、エネルギ処置具３と処理具用装置７の組み合わせ等が、本開示における医療機器と制御装置の組み合わせに相当する。また、図示は省略するが、顕微鏡手術システムにおける手術顕微鏡とそれに対応するCCU等も同様である。
【００４８】
＜本開示を適用した医療機器システムの構成例＞
図２は、本開示を適用した医療機器システムの構成例を示している。この医療機器システム３０は、制御装置３１、医療機器４１、および書き込み装置５１から構成される。
【００４９】
制御装置３１は、例えば、上述した内視鏡手術システム１におけるCCU５等に相当し、コネクタ接合部（コネクタ挿入口）３２を有する。制御装置３１は、接続された医療機器４１を制御したり、医療機器４１から送信される信号を処理したりする。
【００５０】
医療機器４１は、例えば、上述した内視鏡手術システム１における内視鏡２に相当し、ケーブル４２を介して制御装置３１に接続する。具体的には、ユーザにより、医療機器４１から延びるケーブル４２の端に設けられたコネクタ部４３が、制御装置３１のコネクタ接合部３２に挿入されることにより、制御装置３１と医療機器４１が物理的、かつ、電気的に接続される。
【００５１】
書き込み装置５１は、例えば、上述した内視鏡手術システム１とともに手術室に配置され、使用済みの医療機器４１に対して滅菌処理を行う滅菌処理装置等（不図示）に相当する。書き込み装置５１は、医療機器４１の記憶部７３（図４）に対して所定の情報（例えば、滅菌処理済であるか否かを表す情報等）を書き込むことができる。
【００５２】
次に、図３は、制御装置３１に設けられたコネクタ接合部３２の構成例を示している。コネクタ接合部３２は、通信部６１、判定部６２、通知部６３、書き込み部６４、および信号伝達部６５を有する。
【００５３】
通信部６１は、FeliCa（商標）に代表されるNFC(Near field Communication:近距離無線通信技術)により、コネクタ接合部３２に対して、医療機器４１のコネクタ部４３が近づけられた場合、コネクタ部４３の通信部７１（図４）と無線通信を行い、コネクタ部４３から医療機器４１の属性情報やコネクタ部４３の向き情報を取得して判定部６２に出力する。また、通信部６１は、判定部６２による対応可否判定、電気的接続判定、および向き判定の結果を通信部７１に送信する。なお、通信部６１と通信部７１による通信は、NFC以外の近距離無線通信技術を採用してもよい。
【００５４】
判定部６２は、保持する制御装置３１の属性情報と、通信部６１から入力される医療機器４１の属性情報とに基づき、制御装置３１と医療機器４１とが正式に対応するデバイスであるか否かを判定（対応可否判定）し、対応可否判定の結果を通信部６１および通知部６３に出力する。
【００５５】
ここで、本明細書における「正式に対応する」との記載は、制御装置３１または医療機器４１の少なくとも一方の製造会社、販売会社、正規輸入代理店などにより、制御装置３１と医療機器４１とが物理的に不具合なく接続可能であって、且つ、制御装置３１に対して医療機器４１を接続した場合において両者の正常な動作が確認されている関係を表すものとする。ただし、「正常な動作」とは、制御装置３１や医療機器４１のソフトウェアのバージョンによっては、上位互換が保たれている状態や、制御装置３１または医療機器４１の機能の一部が制限されている状態等も含むものとする。
【００５６】
なお、判定部６２による対応可否判定は、例えば、予め判定部６２にLUT（対応表）を保持させておいてもよい。この場合、LUTは、常に最新のものに自動的に更新できるようにしておくことが望ましい。あるいは、対応可否判定は、判定部６２以外で実行してもよい。例えば、医療機器４１側で実行したり、所定のサーバで実行したりするようにしてもよい。
【００５７】
また、判定部６２は、コネクタ部４３がコネクタ接合部３２に挿入された後、両者の電気的な接続が安定しているか否かを判定（電気的接続判定）し、電気的接続判定の結果を通知部６３に出力する。
【００５８】
さらに、判定部６２は、コネクタ部４３の向き情報に基づき、コネクタ接合部３２を接続する場合の向きが合っているか否かを判定（向き判定）し、向き判定の結果を通知部６３に出力する。
【００５９】
通知部６３は、判定部６２による対応可否判定や電気的接続判定や向き判定の結果をユーザに通知するための機構を有する。具体的には、複数の色で点滅、点灯する発光体、警告音等を発生するアラーム、振動するバイブレータ、文字列やアイコン、絵等を表示するディスプレイ、文字列やアイコン、絵等を外部モニタに出力する出力インタフェース等のいずれかを有する。
【００６０】
書き込み部６４は、通信部６１を介して、医療機器４１の記憶部７３に所定の情報を書き込む。信号伝達部６５は、制御装置３１と医療機器４１との間で接続が確立された後に、両者間で信号（制御信号、ビデオ信号等）を通信する。
【００６１】
次に、図４は、医療機器４１から延びるケーブル４２の端に設けられたコネクタ部４３の構成例を示している。コネクタ部４３は、通信部７１、通知部７２、記憶部７３、センサ部７４、および信号伝達部７５を有する。
【００６２】
通信部７１は、コネクタ部４３が制御装置３１のコネクタ接合部３２に近づけられた場合、コネクタ接合部３２の通信部６１とNFCによって無線通信を行い、記憶部７３に記憶されている医療機器４１の属性情報やコネクタ部４３の向きを表す向き情報を通信部６１に送信する。また、通信部７１は、コネクタ接合部３２から送信される対応可否判定、電気的接続判定、および向き判定の結果を通知部７２に供給する。なお、NFCを用いることにより、通信部７１は、その駆動電力を通信部６１から送信される電磁波に基づく電磁誘導によって得ることができる。ただし、医療機器４１側の電源を使って通信部７１を駆動してもよい。
【００６３】
通知部７２は、対応可否判定、電気的接続判定、および向き判定の結果をユーザに通知するための機構を有する。具体的には、複数の色で点滅、点灯する発光体等を有する。
【００６４】
記憶部７３は、医療機器４１の属性情報を記憶する。また、記憶部７３は、通信部７１を介して、コネクタ接合部３２または書き込み装置５１から送信される所定の情報を記憶数する。
【００６５】
センサ部７４は、コネクタ部４３の向きを検知し、検知結果を表す向き情報を通信部７１に通知する。
【００６６】
信号伝達部７５は、制御装置３１と医療機器４１との間で接続が確立された後に、両者間で信号（制御信号、ビデオ信号等）を通信する。
【００６７】
次に、図５は、コネクタ部４３の通知部７２による、対応可否判定、電気的接続判定、および向き判定の結果をユーザに通知する方法の一例を示している。
【００６８】
同図Ａに示されたように、コネクタ部４３がコネクタ接合部３２から所定の距離範囲に近づいていない場合、通知部７２の発光体は消灯されている。この後、コネクタ部４３がコネクタ接合部３２から所定の距離範囲に近づくと対応可否判定が行われ、同図Ｂに示されるように、対応可否判定の結果が通知部７２の発光体の色、点滅、点灯の状態によって通知される。さらに、コネクタ部４３がコネクタ接合部３２に挿入されると電気的接続判定が行われ、同図Ｃに示されるように、電気的接続判定の結果が通知部７２の発光体の色、点滅、点灯の状態によって通知される。なお、通知部７２の発光体の色、点滅、点灯の状態の具体例については後述する。
【００６９】
図６は、コネクタ部４３の通知部７２による、向き判定の結果をユーザに通知する方法の一例を示している。
【００７０】
コネクタ部４３がコネクタ接合部３２から所定の距離範囲に近づいていない場合、通知部は消灯されている。この後、コネクタ部４３がコネクタ接合部３２から所定の距離範囲に近づくと向き判定が行われる。向き判定の結果がＮＧである場合（同図Ｂ）と、向き判定の結果がＯＫである場合（同図Ｃ）とでは、通知部７２の色、点滅、点灯の状態が異なるものとなる。なお、向き判定の実行とその通知については、対応可否判定の結果がＯＫである場合にだけ行うようにしてもよい。
【００７１】
＜医療機器システム３０の接続可否通知処理＞
次に、図７は、医療機器システム３０による接続可否通知処理を説明するフローチャートである。
【００７２】
ステップＳ１において、コネクタ接合部３２の通信部６１は、NFCにより無線通信が可能な相手（いまの場合、コネクタ部４３の通信部７１）が通信圏内に入るまで待機する。無線通信が可能な相手が通信圏内に入った場合、処理はステップＳ２に進められる。
【００７３】
ステップＳ２において、通信部６１は、コネクタ部４３の通信部７１と無線通信を開始し、コネクタ部４３の記憶部７３に記憶されている医療機器４１の属性情報やコネクタ部４３の向き情報、滅菌処理済であるか否かを表す情報を取得して判定部６２に出力する。
【００７４】
ステップＳ３において、判定部６２は、保持する制御装置３１の属性情報と、通信部６１から入力された医療機器４１の属性情報とに基づいて対応可否判定を行い、その結果を通信部６１および通知部６３に出力する。通信部６１は、判定部６２による対応可否判定の結果を通信部７１に送信する。
【００７５】
ステップＳ３における対応可否判定で可能（制御装置３１と医療機器４１とが正式に対応するデバイスである）と判定された場合、処理はステップＳ４に進められる。
【００７６】
ステップＳ４において、コネクタ接合部３２の通知部６３とコネクタ部４３の通知部７２は、ユーザに対して、接続可能である旨を通知する。具体的には、例えば、内蔵する発光体を青色に点滅させる。
【００７７】
次に、ステップＳ５において、判定部６２は、通信部６１から入力された医療機器４１が滅菌処理済であるか否かを表す情報に基づき、医療機器４１が滅菌処理済であるか否かを判定し、判定結果を通知部６３に通知する。滅菌処理済である場合、処理はステップＳ６に進められる。
【００７８】
ステップＳ６において、コネクタ接合部３２の通知部６３は、ユーザに対して、滅菌処理済である旨を通知する。具体的には、例えば、現在、青色で点滅している発光体を緑色の点滅に変更する。このとき、コネクタ部４３の通知部７２も同様に、青色で点滅している発光体を緑色の点滅に変更するようにしてもよい。
【００７９】
緑色点滅を確認したユーザが、コネクタ部４３をコネクタ接合部３２に挿入すると、ステップＳ７において、判定部６２は、コネクタ部４３とコネクタ接合部３２と電気的接続判定を行い、その結果を通信部６１および通知部６３に出力する。通信部６１は、判定部６２による電気的接続の結果を通信部７１に送信する。
【００８０】
ステップＳ７における電気的接続判定の結果が否定である（コネクタ部４３とコネクタ接合部３２との電気的な接続が不安定である）場合、処理はステップＳ８に進められる。
【００８１】
ステップＳ８において、コネクタ接合部３２の通知部６３とコネクタ部４３の通知部７２は、ユーザに対して、電気的接続が不安定である旨を通知する。具体的には、例えば、現在、緑色で点滅している発光体を黄色の点滅に変更する。この後、処理はステップＳ７に戻される。
【００８２】
黄色点滅を確認したユーザが、コネクタ部４３をコネクタ接合部３２に挿入し直して、ステップＳ７における電気的接続判定の結果が肯定である（コネクタ部４３とコネクタ接合部３２との電気的な接続が安定している）場合、処理はステップＳ９に進められる。
【００８３】
ステップＳ９において、コネクタ接合部３２の通知部６３とコネクタ部４３の通知部７２は、ユーザに対して、電気的接続が安定している旨を通知する。具体的には、例えば、現在、緑色で点滅している発光体を緑色の点灯に変更する。この後、コネクタ接合部３２の信号伝達部６５とコネクタ部４３の信号伝達部７５との間で信号（制御信号、ビデオ信号等）が通信される。また、書き込み部６４により、通信部６１を介してコネクタ部４３の記憶部７３に、医療機器４１が滅菌処理後に使用済みである（滅菌処理済ではないに相当）こと表す情報が書き込まれる。
【００８４】
なお、ステップＳ３における対応可否判定で不可能（制御装置３１と医療機器４１とが正式に対応するデバイスではない）と判定された場合、処理はステップＳ１０に進められる。また、ステップＳ５における判定で滅菌処理済ではないと判定された場合にも処理はステップＳ１０に進められる。
【００８５】
ステップＳ１０において、コネクタ接合部３２の通知部６３とコネクタ部４３の通知部７２は、ユーザに対して、接続不可能である旨を通知する。具体的には、例えば、内蔵する発光体を赤色に点滅させる。以上で、接続可否通知処理は終了される。
【００８６】
なお、接続可否通知処理の各ステップＳの処理は、上述したように時系列順に行ってもよいし、並列に行ってもよい。
【００８７】
接続可否通知処理によれば、ユーザは、通知部６３，７２が青色点滅を経て緑点滅した場合（正式に対応するデバイスであり、かつ、滅菌処理済である場合）、コネクタ部４３をコネクタ接合部３２に挿入すればよい。この後、通知部６３，７２が緑色点灯すれば、そのまま正常に使用することができる。
【００８８】
コネクタ部４３をコネクタ接合部３２に挿入した後、通知部６３，７２が黄色点滅した場合（電気的接続が不安定である場合）、コネクタ部４３をコネクタ接合部３２に挿入し直せばよい。この後、通知部６３，７２が緑色点灯すれば、そのまま正常に使用することができる。
【００８９】
通知部６３，７２が青色点滅を経ることなく、赤色点滅した場合（正式に対応するデバイスではない場合）、ユーザは、その医療機器４１を制御装置３１に接続してはならない。
【００９０】
通知部６３，７２が青色点滅を経て赤色点滅した場合（正式に対応するデバイスであるが、滅菌処理済ではない場合）、ユーザは、その医療機器４１を滅菌処理装置（書き込み装置５１）により滅菌処理を行わなければならない。この場合、滅菌処理が終了すると、滅菌処理装置（書き込み装置５１）により滅菌処理済であることを表す情報がコネクタ部４３の記憶部７３に書き込まれる。
【００９１】
以上説明したように、医療機器システム３０によれば、制御装置３１に対して医療機器４１が正式に対応するか否か、医療機器４１は滅菌処理済であるか否か、電気的接続が安定しているか否か（コネクタ部４３が半挿しではないか）、コネクタ接合部３２に対するコネクタ４３の向きは合っているか否か等のユーザ支援情報を通知することができる。これにより、ユーザが医療現場でミスや事故を起こしてしまうことを未然に抑止することができる。
【００９２】
＜本開示を適用した医療機器システムの他の構成例＞
図８は、本開示を適用した医療機器システムの構成例を示している。この医療機器システム８０は、上述した一連の処理を、NFCによる無線通信が可能なシール状通信装置に代行させるようにしたものである。
【００９３】
すなわち、制御装置３１のコネクタ挿入口８１の横にはシール状通信装置８２が貼付されている。シール状通信装置８２は、図３に示されたコネクタ接合部３２の構成例から書き込み部６４および信号伝達部６５を省略したものである。ただし、シール状通信装置８２に対しては、何らかの方法により、貼付する制御装置３１の属性情報を登録する必要がある。
【００９４】
医療機器４１から延びるケーブル４２の端に設けられたコネクタ部９１にはシール状通信装置９２が貼付されている。シール状通信装置９２は、図４に示されたコネクタ部４３の構成例からセンサ部７４および信号伝達部７５を省略したものである。ただし、シール状通信装置９２に対しては、何らかの方法により、貼付する医療機器４１の属性情報を登録する必要がある。
【００９５】
図８に示される医療機器システム８０のように、シール状通信装置８２，９２を用いれば、上述した医療機器システム３０と同等の機能を、いわゆる後付で実現することが可能となる。
【００９６】
＜コネクタ部４３の記憶部７３に記憶させる情報の例＞
上述した説明は、コネクタ部４３の記憶部７３に、医療機器４１の属性情報、滅菌処理済であるか否かの情報等を記憶させるようにしたが、これらの他、例えば、医療機器４１の使用回数、使用時間、制御装置３１に対する接続回数、故障している場合にその旨等を記憶させてもよい。この情報は、例えば、医療機器４１のメンテナンスに利用できる。
【００９７】
例えば、制御装置３１が図１の光源装置６に相当し、医療機器４１が内視鏡２の照明に相当するような場合、光源の種類等を記憶させるようにしてもよい。この情報は、例えば、撮像された動画像に対するＷＢ（ホワイトバランス）処理に利用できる。
【００９８】
また例えば、制御装置３１が図１の処置具用装置７に相当し、医療機器４１がエネルギ処置具３に相当するような場合、エネルギ処置具３の先端（患部に熱処理を加える箇所）の電圧値、抵抗値等を記憶させるようにしてもよい。この情報は、例えば、エネルギ処置具３のメンテナンスや供給する高周波電流の出力調整に利用できる。
【００９９】
なお、本開示の実施の形態は、上述した実施の形態に限定されるものではなく、本開示の要旨を逸脱しない範囲において種々の変更が可能である。
【０１００】
本開示は以下のような構成も取ることができる。
（１）
医療機器から延びるケーブルに設けられているコネクタ部が接続されるコネクタ接合部と、
近接無線通信により前記コネクタ部と無線通信を行う通信部と、
前記通信部が受信した前記医療機器からの情報に基づくユーザ支援情報をユーザに通知する通知部と
を備える制御装置。
（２）
前記通知部は、前記ユーザ支援情報として、前記制御装置と前記医療機器とが正式に対応するものであるか否かをユーザに通知する
前記（１）に記載の制御装置。
（３）
前記通信部が受信した前記医療機器の属性情報に基づき、前記制御装置と前記医療機器とが正式に対応するものであるか否かを判定する対応判定部をさらに備え、
前記通知部は、前記ユーザ支援情報として、前記対応判定部の判定結果をユーザに通知する
前記（１）または（２）に記載の制御装置。
（４）
前記対応判定部が前記医療機器の属性情報に基づいて前記制御装置と前記医療機器とが正式に対応するものであるか否かを判定する際の判断基準は、更新可能である
前記（３）に記載の制御装置。
（５）
前記制御装置と前記医療機器との電気的な接続が安定しているか否かを判定する接続判定部をさらに備え、
前記通知部は、さらに、前記コネクタ接合部に前記コネクタ部が接続された状態で、前記ユーザ支援情報として、前記接続判定部の判定結果をユーザに通知する
前記（１）から（４）のいずれかに記載の制御装置。
（６）
前記通知部は、前記コネクタ接合部に前記コネクタ部が接続されていない状態で、前記ユーザ支援情報として、前記コネクタ部の向きが前記コネクタ接合部に合っているか否かをユーザに通知する
前記（１）から（５）のいずれかに記載の制御装置。
（７）
前記通知部は、前記通信部が受信した前記医療機器からの情報に基づき、前記ユーザ支援情報として、前記医療機器が滅菌処理済であるか否かを通知する
前記（１）から（６）のいずれかに記載の制御装置。
（８）
前記通知部は、前記通信部が受信した前記医療機器からの情報に基づき、前記ユーザ支援情報として、前記医療機器の使用回数または使用時間に関する情報を通知する
前記（１）から（７）のいずれかに記載の制御装置。
（９）
ケーブルを介して制御装置に接続するためのコネクタ部と、
近接無線通信により前記制御装置と無線通信を行う通信部と、
前記通信部が受信した前記制御装置からの情報に基づくユーザ支援情報をユーザに通知する通知部と
を備える医療機器。
（１０）
前記通知部は、前記ユーザ支援情報として、前記制御装置と前記医療機器とが正式に対応するものであるか否かをユーザに通知する
前記（９）に記載の医療機器。
（１１）
前記通信部は、前記医療機器の属性情報を前記制御装置に送信し、前記制御装置から送信された、前記制御装置と前記医療機器とが正式に対応するものであるか否か表す対応情報を受信し、
前記通知部は、受信された前記対応情報に基づき、前記ユーザ支援情報として、前記制御装置と前記医療機器とが正式に対応するものであるか否かをユーザに通知する
前記（９）または（１０）に記載の医療機器。
（１２）
前記通信部が受信した前記制御装置の属性情報に基づき、前記制御装置と前記医療機器とが正式に対応するものであるか否かを判定する対応判定部をさらに備え、
前記通知部は、前記ユーザ支援情報として、前記対応判定部の判定結果をユーザに通知する
前記（９）または（１０）に記載の医療機器。
（１３）
前記対応判定部が前記制御装置の属性情報に基づいて前記制御装置と前記医療機器とが正式に対応するものであるか否かを判定する際の判断基準は、更新可能である
前記（９）から（１２）のいずれかに記載の医療機器。
（１４）
前記通知部は、さらに、前記制御装置に前記コネクタ部が接続された状態で、前記ユーザ支援情報として、前記制御装置と前記医療機器との電気的な接続が安定しているか否かをユーザに通知する
前記（９）から（１３）のいずれかに記載の医療機器。
（１５）
前記通知部は、前記制御装置に前記コネクタ部が接続されていない状態で、前記ユーザ支援情報として、前記コネクタ部の向きが前記制御装置のコネクタ接合部に合っているか否かをユーザに通知する
前記（９）から（１４）のいずれかに記載の医療機器。
（１６）
前記通知部は、前記ユーザ支援情報として、前記医療機器が滅菌処理済であるか否かをユーザに通知する
前記（９）から（１５）のいずれかに記載の医療機器。
（１７）
前記通知部は、前記ユーザ支援情報として、前記医療機器の使用回数または使用時間に関する情報をユーザに通知する
前記（９）から（１６）のいずれかに記載の医療機器。
（１８）
制御装置と、前記制御装置に対してケーブルを介して接続される医療機器とを有する医療機器システムにおいて、
前記制御装置は、
前記医療機器のコネクタ部と接続されるコネクタ接合部と、
近接無線通信により前記医療機器のコネクタ部と無線通信を行う第１の通信部と、
前記通信部が受信した前記医療機器からの情報に基づくユーザ支援情報をユーザに通知する第１の通知部とを備え、
前記医療機器の前記コネクタ部は、
近接無線通信により前記制御装置の前記第１の通信部と無線通信を行う第２の通信部と、
前記第２の通信部が受信した前記制御装置からの情報に基づくユーザ支援情報をユーザに通知する第２の通知部とを備える
医療機器システム。
【符号の説明】
【０１０１】
１  内視鏡手術システム，  ２  内視鏡，  ３  エネルギ処置具，  ５  CCU，  ６  光源装置，  ７  処理具用装置，  ３０  医療機器システム，  ３１  制御装置，  ３２  コネクタ接合部，  ４１  医療機器，  ４２  ケーブル，  ４３  コネクタ部，  ６１  通信部，  ６２  判定部，  ６３  通知部，  ６４  書き込み部，  ６５  信号伝達部，  ７１  通信部，  ７２  通知部，  ７３  記憶部，  ７４  センサ部，  ７５  信号伝達部，  ８１  コネクタ挿入口，  ８２  シール状通信装置，  ９１  コネクタ，  ９２  シール状通信装置
【図１】
2016214490.tif 000003
【図２】
2016214490.tif 000004
【図３】
2016214490.tif 000005
【図４】
2016214490.tif 000006
【図５】
2016214490.tif 000007
【図６】
2016214490.tif 000008
【図７】
2016214490.tif 000009
【図８】
2016214490.tif 000010